(57)【要約】【課題】反射効率が良い小型の光学ユニットを提供する。【解決手段】光学ユニット１は、光を照射する光源１１から照射された光を平行光に変換する投光レンズ１２とが設けられる投光部１０と、平行光が入射される入射面３１、当該入射面３１に入射された平行光を一点に集めることが可能な放物面からなる第１反射面３２、第１反射面３２と前記一点との間において第１反射面３２で反射された光が入射され、前記一点とは異なる他の一点に集めることが可能な双曲面からなる第２反射面３３、及び第２反射面３３と前記他の一点との間において第２反射面３３で反射された光が入射され、前記他の一点を第２反射面３３側に反転させる第３反射面３４を有する受光レンズ３０と第３反射面３４により前記他の一点が反転された位置に設けられ、第３反射面３４で反射された光を検出する受光センサ４０とが設けられる受光部２０と、を備える。【選択図】図１
2018077156.tif 000002
【特許請求の範囲】
【請求項１】
光を照射する光源と前記光源から照射された光を平行光に変換する投光レンズとが設けられる投光部と、
平行光が入射される入射面、当該入射面に入射された平行光を一点に集めることが可能な放物面からなる第１反射面、前記第１反射面と前記一点との間において前記第１反射面で反射された光が入射され、前記一点とは異なる他の一点に集めることが可能な双曲面からなる第２反射面、及び前記第２反射面と前記他の一点との間において前記第２反射面で反射された光が入射され、前記他の一点を前記第２反射面側に反転させる平面からなる第３反射面を有する受光レンズと前記第３反射面により前記他の一点が反転された位置に設けられ、前記第３反射面で反射された光を検出する受光センサとが設けられる受光部と、
を備えた光学ユニット。
【請求項２】
前記第１反射面及び前記第２反射面は全反射を行う反射面である請求項１に記載の光学ユニット。
【請求項３】
前記第３反射面は、前記受光レンズにおける前記入射面側の端面に設けられた凹部に形成されている請求項１又は２に記載の光学ユニット。
【請求項４】
前記投光部は、前記受光レンズにおける前記第１反射面の裏面側に設けられ、
前記受光レンズは、前記第１反射面の一部に前記投光部からの光を通過させる切欠部が形成されている請求項１から３のいずれか一項に記載の光学ユニット。
【請求項５】
前記受光レンズは、前記第３反射面と前記受光センサとの間に、前記第３反射面で反転された光を前記受光センサの検出面に集める集光面が設けられる請求項１から４のいずれか一項に記載の光学ユニット。
【請求項６】
請求項１から５のいずれか一項に記載の光学ユニットと、
前記投光部からの光を所定の範囲に亘って走査させ、走査された光が前記所定の範囲内に存在する物体にあたって反射した反射光を前記入射面に対して直交する方向に変換する変換部と、
を備える測距センサ。
【発明の詳細な説明】
【技術分野】
【０００１】
本発明は、光を照射する投光部と光を取得する受光部とを備えた光学ユニット、及びこのような光学ユニットを備えた測距センサに関する。
【背景技術】
【０００２】
従来、予め設定された所定の範囲に光を照射し、物体により反射された光を取得して、物体の有無を検出する技術が利用されてきた。このような技術にあっては、入射された光（光ビーム）のサイズの変換や、光（光ビーム）の合成を目的として、光学デバイスが用いられる（例えば特許文献１及び２）。
【０００３】
光ビームのサイズ変換に用いられるビームエキスパンダは、一般的に、各種調整に手間を要したり、複数枚のレンズを用いて構成するのでサイズが大きくなったりする。特許文献１に記載の光学素子では、このような課題を改善すべく、カセグレン光学系を単一の光学素子内で構成することで調整の手間を省き、且つ、小型化している。
【０００４】
また、特許文献２に記載の距離測定装置では、カセグレン光学系の副鏡を投光部と一体化させて小型化し、投光光学系の光軸と受光光学系の光軸とが同一になるように構成している。
【先行技術文献】
【特許文献】
【０００５】
【特許文献１】特開２０１０−６０７２８号公報
【特許文献２】特開平８−１５４１３号公報
【発明の概要】
【発明が解決しようとする課題】
【０００６】
特許文献１に記載の技術は、第１反射面及び第２反射面の双方で光を反射させるために例えば金属反射膜等の表面処理が必要となる。このような金属反射膜は反射率が１００％ではないので、特許文献１に記載の技術のように複数回の反射により光の減衰量が多くなり、反射効率が悪化する可能性がある。また、特許文献１に記載の技術では、２つの放物面が同一の焦点位置に対して互いに対向するように配置している。このため、光学素子を例えば樹脂を用いて射出成型により形成した場合、２つの放物面の間隔精度は両側の金型の合わせ面の精度に依存することになるので、反射面の光学面精度だけでなく、金型嵌合面の精度も高める必要がある。
【０００７】
特許文献２に記載の技術は、受光光学系を折り返して構成することにより小型化しているが、投光光学系を同軸上に直列配置したことにより装置の厚みが増加する。また、受光光学系において主鏡及び副鏡の光軸調整と位置調整とが必要になり、投光光学系においても光源及びレンズの光軸調整と位置調整とが必要となる。また、受光側の副鏡と投光光学系とを一体とすることで、却って調整が煩雑となる可能性がある。また、投光光学系と受光光学系とを同軸にし、且つ、投光側光学系を装置の最も手前に配置することから、投光ビーム（ビームのビーム径）よりも物理的に大きな（大きな径を有する）投光レンズや周辺の保持部材により受光面の一部が遮られ、距離性能の低下の原因となり得る。更には、測距対象物が近距離の位置にある場合、反射光は投光ビーム周辺に集中するため、装置自体の投光光学系により遮られてしまい、正しく検出できない可能性がある。また、測距方向を変化させるために平面鏡を組み合わせたポリゴンミラーが用いられるが、特許文献２に記載の技術では回転鏡の回転軸が光軸上にあるため、回転中心にポリゴンミラーの複数面を配置することは容易ではない。回転軸と光軸とを互いにずらすことにより複数方向への操作が容易に行えるようになるが、ポリゴンミラーのミラー面と受光光学系の受光面とが大きくずれてしまい、受光量の損失が多くなる。
【０００８】
そこで、反射効率が良い小型の光学ユニット、及びこのような光学ユニットを備えた測距センサが求められる。
【課題を解決するための手段】
【０００９】
本発明に係る光学ユニットの特徴構成は、光を照射する光源と前記光源から照射された光を平行光に変換する投光レンズとが設けられる投光部と、平行光が入射される入射面、当該入射面に入射された平行光を一点に集めることが可能な放物面からなる第１反射面、前記第１反射面と前記一点との間において前記第１反射面で反射された光が入射され、前記一点とは異なる他の一点に集めることが可能な双曲面からなる第２反射面、及び前記第２反射面と前記他の一点との間において前記第２反射面で反射された光が入射され、前記他の一点を前記第２反射面側に反転させる平面からなる第３反射面を有する受光レンズと前記第３反射面により前記他の一点が反転された位置に設けられ、前記第３反射面で反射された光を検出する受光センサとが設けられる受光部と、を備えている点にある。
【００１０】
このような特徴構成とすれば、入射面、第１反射面、第２反射面、第３反射面の夫々において、互いに対向する面同士の形状を異ならせることができる。また、平行光から収束光への変換を行うことが可能となる。また、上記特徴構成とすれば、入射面と第３反射面とを一方側に配置し、第１反射面と第２反射面とを他方側に配置することで、集光に必要な光学性能面を全て片側（他方側）に配置することができ、製造時の誤差要因を減らすことが可能となる。更には、光路を折り返して構成することで、入射面から受光センサまでの距離を短縮し薄型にできる。したがって、反射効率が良い小型の光学ユニットを実現できる。
【００１１】
また、前記第１反射面及び前記第２反射面は全反射を行う反射面であると好適である。
【００１２】
このような構成とすれば、第１反射面及び第２反射面では光の減衰が無いので、光の反射効率を高めることができる。したがって、光学ユニットにおける光の損失を低減することが可能となる。
【００１３】
また、前記第３反射面は、前記受光レンズにおける前記入射面側の端面に設けられた凹部に形成されていると好適である。
【００１４】
このような構成とすれば、受光レンズの軸方向に沿った長さを短縮することができる。したがって、光学ユニットを小型化することができる。
【００１５】
また、前記投光部は、前記受光レンズにおける前記第１反射面の裏面側に設けられ、前記受光レンズは、前記第１反射面の一部に前記投光部からの光を通過させる切欠部が形成されていると好適である。
【００１６】
このような構成とすれば、投光部から照射される光が受光レンズで減衰されることを防止できる。
【００１７】
また、前記受光レンズは、前記第３反射面と前記受光センサとの間に、前記第３反射面で反転された光を前記受光センサの検出面に集める集光面が設けられると好適である。
【００１８】
このような構成とすれば、第３反射面で反射された光を受光センサの検出面に集め易くすることができる。したがって、受光レンズにおける受光効率を高めることが可能となる。
【００１９】
また、本発明に係る測距センサは、前記光学ユニットと、前記投光部からの光を所定の範囲に亘って走査させ、走査された光が前記所定の範囲内に存在する物体にあたって反射した反射光を前記入射面に対して直交する方向に変換する変換部と、を備えると好適である。
【００２０】
このような構成とすれば、薄型で、且つ、高効率の受光レンズを用いることにより、小型で広角広範囲の測距センサを実現できる。
【図面の簡単な説明】
【００２１】
【図１】光学ユニットの側面図である。
【図２】受光レンズの斜視図である。
【図３】受光レンズの斜視図である。
【図４】測距センサによる物体の検知範囲の一例を示した図である。
【図５】測距センサの側方断面図である。
【発明を実施するための形態】
【００２２】
１．光学ユニット
本発明に係る光学ユニットは、光の反射効率が良く、小型で構成される。以下、本実施形態の光学ユニット１について説明する。
【００２３】
図１には、光学ユニット１の側面図が示される。光学ユニット１は、投光部１０及び受光部２０を備えて構成される。投光部１０は光源１１と投光レンズ１２とが設けられ、受光部２０は受光レンズ３０と受光センサ４０とが設けられる。図１では、理解を容易にするために、受光レンズ３０が断面図で示される。
【００２４】
光源１１は、例えばレーザーやＬＥＤを用いて構成され、光を照射する。光源１１から照射された光は、後述する投光レンズ１２に入射される。
【００２５】
投光レンズ１２は、光源１１から照射された光を平行光に変換する。光源１１から照射された光は、放射状に広がる。投光レンズ１２は、このように放射状に広がる光を、所定の方向に沿って進む平行光に変換する。これにより、光源１１からの光を、所定の方向にのみ照射することが可能となる。投光レンズ１２からの平行光は、光学ユニット１の外部に照射される。なお、以下では投光レンズ１２から照射される平行光を、必要に応じて「投光ビーム」と称して説明する。
【００２６】
本実施形態では、受光レンズ３０は、入射面３１、第１反射面３２、第２反射面３３、第３反射面３４、集光面３５を有し、これら４つの面は、互いの軸心が同軸心上に配置される。
【００２７】
入射面３１は、平行光が入射される。詳細は後述するが、平行光とは投光レンズ１２か光学ユニット１の外部に照射され、測距対象の物体に当たって反射した光である。入射面３１は、平面で、且つ、光を透過するように構成される。入射面３１に入射される平行光は、入射面３１に対して直交する方向に沿って入射されると好適である。
【００２８】
第１反射面３２は、入射面３１に入射された平行光を一点に集めることが可能な放物面で構成される。放物面とは放物線を回転して形成される回転体が有する面（回転放物面）であり、放物面に対して平行に入射された光は、放物面における単一の焦点に集まる特徴を有するものである。本実施形態では、第１反射面３２は、このような放物面を用いて構成され、入射面３１を透過した平行光を所定の一点（上記「焦点」に相当）に集めることができるように構成されている。以下では、理解を容易にするために、「所定の一点」が点Ａであるとして説明する。したがって、第１反射面３２は、入射された平行光を点Ａに集光できるような放物面で構成される。
【００２９】
また、第１反射面３２は、全反射を行う反射面で構成されると好適である。したがって、第１反射面３２は例えば鏡面を形成するようなコーティングは不要である。これにより、第１反射面３２で光が反射される際、光の強度の減衰を防止できる。
【００３０】
第２反射面３３は、第１反射面３２と点Ａとの間において第１反射面３２で反射された光が入射され、点Ａとは異なる他の一点に集めることが可能な双曲面で構成される。上述したように第１反射面３２で反射された光は、点Ａに集まるように構成される。第２反射面３３は、第１反射面３２と点Ａとの間に配置され、入射された光を反射する。後述するように、第２反射面３３は全反射を行う反射面で構成されることから、第１反射面３２で反射された光は、実際には点Ａには到達しない。
【００３１】
双曲面とは、一対の双曲線を同一の軸周りで回転させることにより得られる面であり、一方の双曲線により形成された面に対して光を入射した場合に、他方の双曲線により形成された面の焦点に光が集めることができるように構成された面である。第２反射面３３は当該一対の双曲面のうちの一方を用いて構成される。したがって、第２反射面３３は、第１反射面３２により点Ａの方向に向けて反射された光（集光される光）を、上記「他の一点」にあたる点Ｂ（第２反射面３３の焦点に相当）に向けて反射する（集光する）。以下では、「他の一点」が点Ｂであるとして説明する。
【００３２】
また、第２反射面３３は、全反射を行う反射面で構成されると好適である。したがって、第２反射面３３は例えば鏡面を形成するようなコーティングは不要である。これにより、第２反射面３３で光が反射される際、光の強度の減衰を防止できる。上述した第１反射面３２及び第２反射面３３により、受光レンズ３０の例えば焦点距離等の物理量が略決定される。
【００３３】
第３反射面３４は、第２反射面３３と点Ｂとの間において第２反射面３３で反射された光が入射され、点Ｂを第２反射面３３側に反転させる平面で構成される。上述したように第２反射面３３で反射された光は、点Ｂに集光されるように構成される。第３反射面３４は、第２反射面３３と点Ｂとの間に配置され、入射された光を反射する。したがって、第２反射面３３で反射された光は、実際には点Ｂには到達しない。
【００３４】
第３反射面３４は、所定の入射角で入射された光を、入射角と等しい反射角で反射するように構成される。したがって、点Ｂが点Ａ側に反転されることになる。点Ｂが反転される位置は、第２反射面３３と第３反射面３４との間の距離、及び点Ｂと第３反射面３４との間の距離によって決定されるが、本実施形態では、点Ｂが点Ａの位置に反転されるとして説明する。このように第３反射面３４は、光を集める面の位置や向きの反転に用いられる。
【００３５】
本実施形態では、第３反射面３４は、受光レンズ３０における入射面３１側の端面に設けられる凹部５０に形成される。第３反射面３４は、凹部５０の底面、すなわち凹部５０が有する面のうち、点Ａ側の面に形成される。このような第３反射面３４は、凹部５０に平面鏡を嵌め込んで形成しても良いし、凹部５０の底面に対して例えば蒸着を行って鏡面を形成しても良い。
【００３６】
集光面３５は、第３反射面３４と受光センサ４０との間に設けられ、第３反射面３４で反転された光を受光センサ４０の検出面に集める。ここで、受光センサ４０は、第３反射面３４により点Ｂが反転された位置に設けられ、第３反射面３４で反射された光を検出する。本実施形態では、第３反射面３４により点Ｂが反転された位置とは、点Ａの位置である。したがって、受光センサ４０は、点Ａの位置に設けられ、この位置で第３反射面３４により反射された光を検出する。受光センサ４０による光の検出は、公知であるので説明は省略する。
【００３７】
ここで、第３反射面３４で反射された光が点Ａの位置に集まるように受光レンズ３０が構成されるが、受光レンズ３０の形成誤差によっては、多少、点Ａの位置に対して光が集まる位置がずれる可能性がある。そこで、集光面３５は、第３反射面３４とこのような受光センサ４０との間に設けられ、第３反射面３４により反射された光を受光センサ４０の検出面に集めるレンズとして用いられる。このような集光面３５は、球面状で、且つ、光が透過する透過面として構成される。また、集光面３５は、最終集光面と光軸との交点を中心とした球面で構成し、集光する光（光束）が直交する方向から入射されるように構成すると好適である。これにより、集光する光（光束）への屈折作用を極力抑えることが可能となる。なお、集光面３５は、集光面３５において光を屈折させて受光センサ４０の検出面に集光するように構成しても良い。
【００３８】
光学ユニット１は上述したように構成されるが、光学ユニット１はコンパクトに形成すべく、投光部１０が受光レンズ３０における第１反射面３２の裏面側に設けられる。「受光レンズ３０における第１反射面３２の裏面側」とは、受光レンズ３０が有する面のうち、第１反射面３２が形成された面の裏側の面よりも外側である。また、投光部１０は、照射する光が受光レンズ３０の受光面内の外周付近を通過するように受光レンズ３０の軸心に対してオフセットして配置される。
【００３９】
投光部１０は、このような位置に設けられるが、投光部１０からの光が透過できるように、受光レンズ３０には第１反射面３２の一部に切欠部５１が形成されている。図２には、第１反射面３２の裏面側から見た受光レンズ３０の斜視図が示され、図３には、入射面３１を受光レンズ３０の外側から見た受光レンズ３０の斜視図が示される。受光レンズ３０は、図２及び図３に示されるような形状で、例えば射出成型により透明な樹脂（例えばアクリル、ポリカーボネート、ポリマー等）を用いて構成される。このように受光レンズ３０を単一部品とすることで、受光センサ４０との位置合わせを容易にすることが可能となる。また、射出成型時に第１反射面３２の一部及び入射面３１の外周部の一部を切り欠くような切欠部５１が形成される（図２及び図３参照）。投光部１０は、この切欠部５１を投光部１０からの光が通り抜けるように配置される。したがって、投光部１０からの光が減衰されることを防止できる。
【００４０】
２．測距センサ
次に、本発明に係る測距センサについて説明する。測距センサは、当該測距センサから所定の範囲内に存在する物体までの距離を検出するのに利用される。本実施形態の測距センサ２は、図４に示されるように車両３（例えば車両３の前端部）に備えられ、車両３の周囲（図４の例では、車両３の前方）に存在する物体までの距離を検出する。
【００４１】
図５には、測距センサ２の側方断面図が示される。図５に示されるように、測距センサ２は、上述した光学ユニット１と変換部５とを備えて構成される。光学ユニット１については、上述したので説明は省略する。変換部５は、投光部１０からの光を所定の範囲に亘って走査させ、更に、走査された光が所定の範囲内に存在する物体に当たって反射した光を入射面３１に対して直交する方向に変換する。変換部５は、凹面鏡や凸面鏡、更には複数の平面鏡を組み合わせて形成したポリゴンミラー等を用いて構成すると好適である。このような変換部５に投光部１０からの光を照射しつつ、受光レンズ３０の軸心と非平行に配置された回転軸を有するモータで回転させることにより図４に示されるような範囲Ｒに窓部５２を介して投光部１０からの光を照射することが可能となる。
【００４２】
投光部１０からの光は、所定の範囲（図２にあっては範囲Ｒ）に存在する物体に当たると反射する。反射した光が窓部５２を介して測距センサ２の方に戻ると、当該光が入射面３１に対して直交する方向で入射されるように、変換部５は光の方向を変換する。変換された光は、上述したように光学ユニット１の受光センサ４０に入射される。
【００４３】
なお、投光部１０及び受光センサ４０は単一の基板４５に実装され、当該基板４５を支持するハウジング４６と受光レンズ３０とを互いに固定することで、受光レンズ３０に対する投光部１０及び受光センサ４０の位置決めを行うことが可能である。また、受光レンズ３０から投光部１０の着脱を容易にでき、軸調整を行い易くできる。更には、投光部１０及び受光センサ４０を単一の基板４５に実装することで、複数の基板を用いる場合に比べてコストダウンを行うことが可能となる。
【００４４】
また、少ない面数のポリゴンミラー（面数が少ない程、広角にできる）の外周部に沿って、ポリゴンミラーの径方向に長く、周方向に細い矩形の照射領域を有する光を照射することで、水平走査角度を大きくすることができ、且つ、受光面積も広くすることができるため、広範囲（水平方向と距離方向）に亘って物体の検知が可能となる。また、少ない面数の設定により、光が面間を跨ぐ回数を少なくし、有効に走査できる区間を増やし、照射する光の照射領域を細くすることでポリゴンミラーの面間を跨ぐ区間を短くすると好適である。
【００４５】
受光センサ４０により光が検出されたことを示す結果は、図示しない演算部に伝達される。一方、演算部には、投光部１０が光を照射したことを示す情報も伝達される。演算部は、投光部１０が光を照射してから、受光センサ４０が光を受光するまでの時間を算定し、光の速度と当該時間の１／２との積により測距センサ２から物体までの距離を演算することが可能である。もちろん、上記時間について、各機能部の信号処理に要する遅延時間を補正して用いることも可能である。
【００４６】
なお、投光レンズ１２と受光レンズ３０との境界部には、窓部５２の反射光を受光しないように、最小限の遮光を施すと好適である。比較的近距離にある物体の反射光で受光レンズ３０に対して直交する方向から入射できる（受光センサ４０が受光できる）成分は投光される光周辺にしかなく、投光される光を受光レンズ３０の受光面よりも外側に配置すると、近距離の物体が検知できなくなるためである。また、反対に投光される光を受光レンズ３０の中心に近づけると窓部５２からの反射が大きくなり、結果的に近距離の物体の反射光が埋もれてしまい検知できなくなるためである。更には仮に窓部５２からの反射光を遮光した場合であっても、受光面積の低下を招き測距センサ２の距離能力が低下するためである。
【００４７】
更には、投光レンズ１２と受光レンズ３０とは、光軸方向に対しても互いにオフセットを設け、特に受光レンズ３０の方が投光レンズ１２よりも窓部５２側に配置すると良い。オフセットを設けることにより、受光レンズ３０の隙間に投光レンズ１２を配置し、投受光回路を一体にすることができ、測距センサ２をコンパクトに構成することが可能となる。
【００４８】
また、投光レンズ１２は受光レンズ３０の後方（受光レンズ３０を入射面３１側から見て後方）に配置することにより、平行光に整形された光だけが受光レンズ３０の受光面内外周付近を通過するようにできる。したがって、投光レンズ１２や保持部材によって受光レンズ３０を遮る部分の大きさを小さくすることができ、投光レンズ１２を介して照射される光の大きさだけ通過できる程度となり、大きな集光面積を確保することが可能となる。
【００４９】
なお、図４に示したように測距センサ２は車両３に設けられるが、上述したように投光光軸を測距センサ２の最前面に設けることで、車体等の周辺部で照射された光が遮られることなく水平方向に広範囲に亘って走査することが可能となる。また、広範囲に亘る走査を実現しつつ、測距センサ２が車両３から突出するように配置することを防止でき、デザインの自由度にも貢献できる。
【００５０】
３．その他の実施形態
上記実施形態では、第１反射面３２及び第２反射面３３は全反射を行う反射面であるとして説明したが、第１反射面３２及び第２反射面３３の双方、或いは一方が全反射を行わない反射面であっても良い。すなわち、第１反射面３２及び第２反射面３３の双方、或いは一方が、例えば蒸着によって鏡面を形成しても良い。
【００５１】
上記実施形態では、第３反射面３４は、受光レンズ３０における入射面３１側の端面に設けられた凹部５０に形成されているとして説明したが、第３反射面３４は凹部５０に形成されず、入射面３１の一部に形成されても良い。
【００５２】
上記実施形態では、投光部１０は、受光レンズ３０における第１反射面３２の裏面側に設けられ、受光レンズ３０は、第１反射面３２の一部に投光部１０からの光を通過させる切欠部５１が形成されているとして説明したが、投光部１０は受光レンズ３０の側方に配置しても良い。この場合、投光部１０からの光の経路（光路）において、受光レンズ３０が存在しない場合（受光レンズ３０を光が通過しない場合）には、受光レンズ３０に切欠部５１を設けなくても良い。
【００５３】
上記実施形態では、第３反射面３４は、第２反射面３３の焦点である点Ｂを、第１反射面３２の焦点である点Ａの位置に反転させるとして説明したが、第３反射面３４は第２反射面３３の焦点である点Ｂを、第１反射面３２の焦点である点Ａの位置とは異なる位置に反転させるように配置することも可能である。
【００５４】
上記実施形態では、図４において測距センサ２が車両３の前端部に備えられ、車両３の前方に存在する物体までの距離を検出するとして説明したが、測距センサ２を用いて、車両３の後方に存在する物体までの距離を検出するように構成することも可能であるし、車両３の側方に存在する物体までの距離を検出するように構成することも可能である。これらの場合、夫々車両３の後端部や側端部に設けると好適である。
【００５５】
本発明は、光を照射する投光部と光を取得する受光部とを備えた光学ユニット、及びこのような光学ユニットを備えた測距センサに用いることが可能である。
【符号の説明】
【００５６】
１：光学ユニット
２：測距センサ
５：変換部
１０：投光部
１１：光源
１２：投光レンズ
２０：受光部
３０：受光レンズ
３１：入射面
３２：第１反射面
３３：第２反射面
３３：第３反射面
３５：集光面
４０：受光センサ
５０：凹部
５１：切欠部
【図１】
2018077156.tif 000003
【図２】
2018077156.tif 000004
【図３】
2018077156.tif 000005
【図４】
2018077156.tif 000006
【図５】
2018077156.tif 000007